(57)【要約】【課題】    顔面上からの離脱を防止することができるフェイスカバーシートを提供すること。【解決手段】  このフェイスカバーシートは、人の顔面を覆うためのシートであって、人の顔面を覆った状態で当該人がその口にくわえるための舌片部または当該舌片部を形成するための舌片部形成部を有することを特徴とする。【選択図】  図１
2009279021.tif 000002
【特許請求の範囲】
【請求項１】
人の顔面を覆うためのシートであって、人の顔面を覆った状態で当該人がその口にくわえるための舌片部または当該舌片部を形成するための舌片部形成部を有することを特徴とするフェイスカバーシート。
【請求項２】
前記舌片部が切込みにより形成されていることを特徴とする請求項１に記載のフェイスカバーシート。
【請求項３】
前記舌片部形成部が、破線状または点線状に連続する貫通孔による切込み形成部により形成されていることを特徴とする請求項１に記載のフェイスカバーシート。
【請求項４】
少なくとも一方の表面が防水加工処理または撥水加工処理されたものであることを特徴とする請求項１〜請求項３のいずれかに記載のフェイスカバーシート。
【請求項５】
長尺なシート材に切り離し部が形成されてなるシート体が巻回されてなり、切り離し部において切り離されることにより、人の顔面を覆った状態で当該人がその口にくわえるための舌片部または当該舌片部を形成するための舌片部形成部を有するフェイスカバーシートが形成されることを特徴とするフェイスカバーシートロール。
【請求項６】
人の顔面を覆った状態で当該人がその口にくわえるための舌片部または当該舌片部を形成するための舌片部形成部を有するフェイスカバーシートの折り畳み体の複数が積重され、折り畳み体の一片部分が、当該折り畳み体に続く他の折り畳み体の内部に挿入された状態で順次の折り畳み体が連続的に組み合わされていることを特徴とするフェイスカバーシート積重体。
【発明の詳細な説明】
【技術分野】
【０００１】
本発明は、人の顔面を覆うためのフェイスカバーシート、フェイスカバーシートロールおよびフェイスカバーシート積重体に関する。
【背景技術】
【０００２】
美容室店等において、洗髪、カラーリング、トリートメント等が施される際には、水や液剤から顔面を保護するために、施術対象者の顔面をタオル、ガーゼなどのシートにより覆うことが行われている。また、このように顔面が覆われることにより、施術対象者の洗髪時等における視界が遮られ、心理的ストレスが緩和される。
【０００３】
従来、このような目的で使用されているシートは、単に顔面に載せられているのみであることから、洗髪を施す際における動きや、使用者の呼吸などにより、適切な位置から移動して顔面から離脱してしまう、という不都合があった。
【発明の開示】
【発明が解決しようとする課題】
【０００４】
本発明は、以上のような事情に基づいてなされたものであって、顔面上からの離脱を防止することができるフェイスカバーシート並びに当該フェイスカバーシートを供するフェイスカバーシートロールおよびフェイスカバーシート積重体を提供することを目的とする。
【課題を解決するための手段】
【０００５】
本発明のフェイスカバーシートは、人の顔面を覆うためのシートであって、人の顔面を覆った状態で当該人がその口にくわえるための舌片部または当該舌片部を形成するための舌片部形成部を有することを特徴とする。
【０００６】
本発明のフェイスカバーシートは、前記舌片部が切込みにより形成されていることが好ましい。
【０００７】
本発明のフェイスカバーシートは、前記舌片部形成部が、破線状または点線状に連続する貫通孔による切込み形成部により形成されていることが好ましい。
【０００８】
本発明のフェイスカバーシートは、少なくとも一方の表面が防水加工処理または撥水加工処理されたものであることが好ましい。
【０００９】
本発明のフェイスカバーシートロールは、長尺なシート材に切り離し部が形成されてなるシート体が巻回されてなり、切り離し部において切り離されることにより、人の顔面を覆った状態で当該人がその口にくわえるための舌片部または当該舌片部を形成するための舌片部形成部を有するフェイスカバーシートが形成されることを特徴とする。
【００１０】
さらに、本発明のフェイスカバーシート積重体は、人の顔面を覆った状態で当該人がその口にくわえるための舌片部または当該舌片部を形成するための舌片部形成部を有するフェイスカバーシートの折り畳み体の複数が積重され、折り畳み体の一片部分が、当該折り畳み体に続く他の折り畳み体の内部に挿入された状態で順次の折り畳み体が連続的に組み合わされていることを特徴とする。
【発明の効果】
【００１１】
本発明のフェイスカバーシートによれば、人の顔面を覆った状態で、これに形成されている舌片部、または舌片部形成部により形成される舌片部を当該人が口にくわえることにより、当該フェイスカバーシートを保持することができるので、顔面上からの離脱を防止することができる。
【発明を実施するための最良の形態】
【００１２】
以下、本発明について具体的に説明する。
図１は、本発明のフェイスカバーシートの一例の正面図であり、図２は、図１に示すフェイスカバーシートの斜視図である。
フェイスカバーシート１は、図１に示されるように、若干縦長の矩形であり、人の顔面を覆うことができる形状および寸法を有するフェイスカバーシート本体３よりなる。
このフェイスカバーシート１は、図２に示されるように、フェイスカバーシート本体３に、人の顔面を覆った状態で当該人がその口にくわえるための舌片部２が切込みにより形成されている。
この例の舌片部２は、フェイスカバーシート本体３の幅方向に伸びる上辺より下辺が短尺な台形において、上辺以外の３辺が当該フェイスカバーシート本体３から切り離された状態を有している。すなわち、切込みにより形成される舌片部２は、フェイスカバーシート本体３の幅方向に伸びる上辺のみにおいてフェイスカバーシート本体３に連結された状態とされている。
この舌片部２は、フェイスカバーシート１が人の顔面を覆った状態において当該人の口の位置に相当する位置、具体的には、フェイスカバーシート１の幅方向中央に位置し、上下方向中央よりやや下方の位置に形成されている。
【００１３】
フェイスカバーシート１の外形は、矩形に限定されず、その輪郭が長楕円形などのように曲線を有していてもよい。フェイスカバーシートの大きさは、少なくとも目、鼻、口を覆うものであればよい。
舌片部の大きさおよび形状は、人の顔面を覆った状態で当該人がその口にくわえることができる大きさおよび形状を有していればよく、図３に示すように略楕円形状であってもよく、図４に示すように略三角形状とすることもできる。
切込みにより形成される舌片部は、当該舌片部における形状の輪郭の一部が、フェイスカバーシートに連結されている状態であればよく、舌片部を口でくわえることで当該フェイスカバーシートを保持することができる構成を有していればよい。
本発明に係るフェイスカバーシート本体３の寸法例は、例えば、縦幅が２５０ｍｍ、横幅が２００ｍｍであり、舌片部２の大きさは、例えば、下辺が３０ｍｍ、高さ３０ｍｍ、上辺４５ｍｍの台形である。フェイスカバーシート１の下辺から舌片部２の下辺までの間隔ａは７０ｍｍである。
【００１４】
本発明のフェイスカバーシート１の材質としては、例えば、人体に害のない綿１００％よりなる不織布であり、紙、樹脂などを用いることもできる。
当該フェイスカバーシートの素材は、利用者の顔に直接触れるものであるので、皮膚への刺激がより少ないものが好ましく、特に女性の場合には、化粧を施しているので、肌との密着や摩擦が気にならない程度の薄さが好ましい。また、フェイスカバーシート１は、単層構成であるが、多層構成であってもよい。
【００１５】
本発明のフェイスカバーシート１によれば、舌片部２を顔面側に捲り、舌片部２を口でくわえることにより保持することができるので、当該フェイスカバーシート１が顔面からの離脱を防止することができる。
【００１６】
フェイスカバーシートの材質が紙および繊維などである場合において、防水加工処理または撥水加工処理されることが好ましい。このような構成によれば、洗髪、カラーリング等における、水はねおよび液剤はねにより濡れてしまうことが防止される。具体的には、例えば、フェイスカバーシートの少なくとも一方の表面に防水性もしくは撥水性のシートをラミネート加工した構成、または防水作用もしくは撥水作用のある成分がフェイスカバーシートに塗布された構成とすることができる。
【００１７】
本発明のフェイスカバーシートにおいて、材質に芳香成分を添加させることにより、使用者のリラックス効果等を得ることができる。芳香成分として、例えば、ペパーミント、ローズマリーなどが挙げられる。
【００１８】
図５は、本発明のフェイスカバーシートの他の実施例を示し、この例では、フェイスカバーシート本体３とは別個に形成された例えば台形の舌片４が当該フェイスカバーシート本体３に、その上方縁部分が接着剤などにより当該フェイスカバーシート本体３に貼付されて構成されている。この例のフェイスカバーシート１は、上記実施例と同様の作用効果を有する。
【００１９】
図６は、本発明のフェイスカバーシートのさらに他の実施例の正面図である。
この例のフェイスカバーシート５は、切り離し可能な破線状または点線状に連続する貫通孔による切込み形成部７が形成されており、これにより、舌片部を形成するための舌片部形成部６が形成されている。この構成によれば、使用時に切込み形成部７を切り離すことにより、舌片部を形成することができる。
【００２０】
図７は、本発明のフェイスカバーシートロールの一例の斜視図である。このフェイスカバーシートロール１０は、１枚の長尺なシート材１１に切り離し部１２が形成されたシート体１３が巻回されてなる。
切り離し部１２は、切り離し可能な破線状または点線状に連続する貫通孔などの切込みにより形成され、長尺なシート材１１の長尺方向に対して直角に伸びるよう等間隔で設けられている。切り離し部１２で切り離されるシート片１４には、各々、人の顔面を覆った状態で当該人がその口にくわえるための舌片部２が形成されている。
フェイスカバーシートロール１０によれば、切り離し部１２において切り離されることにより、舌片部２を有するフェイスカバーシートが形成される。
【００２１】
舌片部２の代わりに、図５に示すような舌片部４、図６に示すような舌片部形成部６が設けられた構成であってもよい。
商品流通上および衛生上などの観点から、このフェイスカバーシートロール１０を収納する容器を用いることが好ましい。
【００２２】
本発明のフェイスカバーシートロール１０によれば、切り離し部１２を有したシート体１３が巻回されロール状とされたことにより、実際上の商品として、製造上、流通上、販売上、購入上または使用上に際して高い利便性が得られる。
【００２３】
図８は、本発明のフェイスカバーシート積重体の一例の斜視図、図９は、図８に示すフェイスカバーシート積重体の折り畳み体の構成を示した説明用斜視図、図１０は、図８に示すフェイスカバーシート積重体を箱型容器に収納した状態の斜視図である。
フェイスカバーシート積重体２０は、図８に示すように、人の顔面を覆った状態で当該人がその口にくわえるための舌片部を有するフェイスカバーシートの折り畳み体２１が例えば５０枚積重されている。
折り畳み体２１は、舌片部を有するフェイスカバーシートの長尺方向に沿って二つ折りの状態で形成されている。
フェイスカバーシート積重体２０は、図９に示すように、折り畳み体２１の一片部分が、当該折り畳み体２１の上下もしくは上下のうち少なくとも一方の折り畳み体２１の２片の内部に挿入された状態で順次連続的に組み合わされ形成される。
【００２４】
フェイスカバーシート積重体２０は、図１０に示すように、上面に取り出し口２３が設けられた箱型容器２２に収納された状態として使用される。
箱型容器２２に収められたフェイスカバーシート積重体２０は、取り出し口２３から最上部の折り畳み体２１を一枚ずつ取り出すことができ、次に、この取り出す動きに連動して、取り出された最上部の折り畳み体２１の内部に挿入された下の折り畳み体２１が取り出し口２３から突出し、ポップアップ式に取り出すことが可能となる。
【００２５】
本発明のフェイスカバーシート積重体２０によれば、積重された折り畳み体２１が箱型容器２２に収納され、ポップアップ式に取り出すことが可能となることにより、実際上の商品として、製造上、流通上、販売上、購入上または使用上に際して高い利便性が得られる。
【図面の簡単な説明】
【００２６】
【図１】本発明のフェイスカバーシートの一例の正面図である。
【図２】図１に示すフェイスカバーシートの斜視図である。
【図３】他の例の舌片部を有した本発明のフェイスカバーシートの正面図である。
【図４】さらに他の例の舌片部を有した本発明のフェイスカバーシートの正面図である。
【図５】本発明のフェイスカバーシートの他の実施例の正面図である。
【図６】本発明のフェイスカバーシートのさらに他の実施例の正面図である。
【図７】本発明のフェイスカバーシートロールの一例の斜視図である。
【図８】本発明のフェイスカバーシート積重体の一例の斜視図である。
【図９】図８に示すフェイスカバーシート積重体の折り畳み体の構成を示した説明用斜視図である。
【図１０】図８に示すフェイスカバーシート積重体を箱型容器に収納した状態の斜視図である。
【符号の説明】
【００２７】
１    フェイスカバーシート
２    舌片部
３    フェイスカバーシート本体
４    舌片
５    フェイスカバーシート
６    舌片部形成部
７    切込み形成部
１０  フェイスカバーシートロール
１１  長尺なシート材
１２  切り離し部
１３  シート体
１４  シート片
２０  フェイスカバーシート積重体
２１  折り畳み体
２２  箱型容器
２３  取り出し口
【図１】
2009279021.tif 000003
【図２】
2009279021.tif 000004
【図３】
2009279021.tif 000005
【図４】
2009279021.tif 000006
【図５】
2009279021.tif 000007
【図６】
2009279021.tif 000008
【図７】
2009279021.tif 000009
【図８】
2009279021.tif 000010
【図９】
2009279021.tif 000011
【図１０】
2009279021.tif 000012